(57)【要約】【課題】通常のミシンを用いて手縫いに負けない高級感を醸し出すことが可能な織物の縁取縫製方法及びその縫製方法により縁取られた縫製品を提供する。【解決手段】織物の縁取をほつれ止めや装飾のために縫い上げる織物の縁取縫製方法において、通常のミシンにより前記織物の縦地縁を三折り状に巻き上げながら千鳥状に縫い上げる第１縦地縁千鳥縫い工程と、前記ミシンにより前記織物の横地縁を三折り状に巻き上げながら千鳥状に縫い上げる第１横地縁千鳥縫い工程と、を行った後、さらに、前記ミシンに六折り用押え金具を装着して前記織物の縦地縁及び横地縁を六折り状に巻き上げながら千鳥状に縫い上げる第２縦地縁千鳥縫い工程及び第２横地縁千鳥縫い工程を行う。【選択図】図４
2019126480.tif 000002
【特許請求の範囲】
【請求項１】
織物の縁取をほつれ止めや装飾のために縫い上げる織物の縁取縫製方法であって、
通常のミシンにより前記織物の縦地縁を三折り状に巻き上げながら千鳥状に縫い上げる第１縦地縁千鳥縫い工程と、
前記ミシンにより前記織物の横地縁を三折り状に巻き上げながら千鳥状に縫い上げる第１横地縁千鳥縫い工程と、を行った後、
さらに、前記ミシンに六折り用押え金具を装着して前記織物の縦地縁及び横地縁を六折り状に巻き上げながら千鳥状に縫い上げる第２縦地縁千鳥縫い工程及び第２横地縁千鳥縫い工程を行うこと
を特徴とする織物の縁取縫製方法。
【請求項２】
前記第１縦地縁千鳥縫い工程では、前記織物の生地の反物の縦地縁を連続して千鳥状に縫い上げること
を特徴とする請求項１に記載の織物の縁取縫製方法。
【請求項３】
請求項１又は２に記載の織物の縁取縫製方法により縁取が六折り状に巻き上げられて千鳥縫いされていること
を特徴とする織物の縫製品。
【発明の詳細な説明】
【技術分野】
【０００１】
本発明は、織物の縁取をほつれ止めや装飾のために縫い上げる織物の縁取縫製方法及びその縫製方法により縁取が縫い上げられた織物の縫製品に関する。
【背景技術】
【０００２】
スカーフ、ストール、ハンカチなどの織物は、その四周の縁取がほつれ止めや装飾のために縫い上げられている。このような織物の縁取縫製方法は、職人が捩じ巻きながら手縫いする手縫いと、ミシンにより縫い上げるミシン縫いに大別される。
【０００３】
職人による手縫いは、生地の上品さを醸し出す高級感があり、シルクのスカーフやストール、サテンやローンなどの高級ハンカチ等の意匠性の高い高級織物の縁取に用いられることが多く、ニーズも高いものがある。しかし、近年、このような手縫いを行うことできる熟練した職人が高齢化や賃金の安さを理由に減少の一途をたどっており、必要な供給量を供給することができないという問題がある。
【０００４】
一方、ミシンによる一般的な縁取縫製方法には、三巻き、千鳥巻き、メロウ巻きの３種類の縫製方法がある。三巻きは、通常のミシンにより、織物の縁を三折り状に巻き込んだ上、額縁のように直線状のステッチで縫い上げる方法であり、頑丈でほつれにくいが、デザイン性があまりなく高級感を醸し出すことはできない。このため、綿織物のハンカチやバンダナ等に用いられることが多い。
【０００５】
千鳥巻きは、通常のミシンにより織物の縁を三折り状に上げながら縁と一般部を交互にジグザグ（千鳥状）に縫い上げる方法であり、頑丈さは三巻きに劣るものの、手縫いのようなかがり縫いができるのが特徴である。しかし、巻き上げのボリューム感に乏しく、職人による手縫いと比べるとやや高級感が劣るのが実情である。
【０００６】
メロウ巻きは、上糸と下糸の他にもう一本糸を使って縫い上げることが可能な特殊なメロウミシンを使った縫製で、３本の糸を使って織物の縁を巻き込むように縫い上げて行く方法である。一般的には、小さい幼児用のハンカチの縁取に用いられることが多い。
【０００７】
例えば、特許文献１には、生地２２の端部２２ａに芯材としての可撓性を有するワイヤー２５を沿わせ、生地２２の端部２２ａとワイヤー２５とをメロウミシンにより一体に巻き縫い２７をする生地と芯材の縫製方法が開示されている（特許文献１の特許請求の範囲の請求項１、明細書の段落［００１６］〜［００２６］、図面の図１〜図３等参照）。
【０００８】
しかし、特許文献１に記載の生地と芯材の縫製方法は、ワイヤーにより生地と芯材の縫製品の所望の形態を長時間にわたり保持することができるとされているものの、職人による手縫いとはかけ離れており、上品さや高級感に欠けるものであった。また、機構が複雑で維持管理が難しい特殊なメロウミシンやワイヤーが必要であり、コストが嵩むという問題もあった。
【先行技術文献】
【特許文献】
【０００９】
【特許文献１】特開２００１−２３４４１３号公報
【発明の概要】
【発明が解決しようとする課題】
【００１０】
そこで、本発明は、前記問題点を解決するために案出されたものであり、その目的とするところは、通常のミシンを用いて手縫いに負けない高級感を醸し出すことが可能な織物の縁取縫製方法及びその縫製方法により縁取られた織物の縫製品を提供することにある。
【課題を解決するための手段】
【００１１】
第１発明に係る織物の縁取縫製方法は、織物の縁取をほつれ止めや装飾のために縫い上げる織物の縁取縫製方法であって、通常のミシンにより前記織物の縦地縁を三折り状に巻き上げながら千鳥状に縫い上げる第１縦地縁千鳥縫い工程と、前記ミシンにより前記織物の横地縁を三折り状に巻き上げながら千鳥状に縫い上げる第１横地縁千鳥縫い工程と、を行った後、さらに、前記ミシンに六折り用押え金具を装着して前記織物の縦地縁及び横地縁を六折り状に巻き上げながら千鳥状に縫い上げる第２縦地千鳥縫い工程及び第２横地千鳥縫い工程を行うことを特徴とする。
【００１２】
第２発明に係る織物の縁取縫製方法は、第１発明において、前記第１縦地縁千鳥縫い工程では、織物の生地の反物の縦地縁を連続して千鳥状に縫い上げることを特徴とする。
【００１３】
第３発明に係る織物の縫製品は、請求項１又は２に記載の織物の縁取縫製方法により縁取が六折り状に巻き上げられて千鳥縫いされていることを特徴とする。
【発明の効果】
【００１４】
第１発明〜第３発明によれば、熟練した職人でなくても、機構が簡略でメンテナンスに手間がかからない通常のミシンより、巻き上げのボリューム感がある手縫いのようなかがり縫いができる。このため、縫製品が手縫いに負けない高級感を醸し出すことが可能となる。
【００１５】
特に、第２発明によれば、ロール状に巻き上げられた反物全長に亘って連続的に千鳥縫いを施すので、織物の縦地縁を一気に縫製することができる。このため、織物の縦地縁を個別に縫製する場合と比べて極めて短時間で効率的に縫製することができる。
【００１６】
第３発明によれば、縁取を巻き上げのボリューム感がある手縫いのようなかがり縫いができ、手縫いに負けない高級感を醸し出すことができる。
【図面の簡単な説明】
【００１７】
【図１】本発明の実施の形態に係る織物の縁取縫製方法の第１縦地縁連続千鳥縫い工程を示す工程説明図である。
【図２】主に、本発明の実施の形態に係る織物であるスカーフの生地の縦地縁及び横地縁を示す斜視図である。
【図３】同上の織物の縁取縫製方法の第１横地縁千鳥縫い工程を示す工程説明図である。
【図４】同上の縁取縫製方法の第２縦地縁千鳥縫い工程を示す工程説明図である。
【図５】同上の縁取縫製方法の第２横地縁千鳥縫い工程を示す工程説明図である。
【図６】同上の縁取縫製方法で縫製した織物の縫製品であるスカーフの縦地縁を示す完成図である。
【図７】同上の縁取縫製方法で縫製した織物の縫製品であるスカーフの横地縁を示す完成図である。
【発明を実施するための形態】
【００１８】
以下、本発明の実施の形態に係る織物の縁取縫製方法について、図面を参照しながら詳細に説明する。
【００１９】
織物としてスカーフを例示し、スカーフの四周の縁を縫製する場合を挙げて説明する。勿論、本発明の適用が可能な織物は、スカーフに限られず、綿織物、麻織物、絹織物、毛織物、化学繊維織物、交繊織物、混紡織物、交織織物など、各種織物に適用することができる。また、本発明は、織り方の種類も、平織、斜文織（綾織）、朱子織のいずれの織り方の織物にも適用することができる。
【００２０】
一般に、スカーフなどの矩形の布帛の縁取を縫製する場合は、織物の生地を反物の長手方向を縦地とし、反物から引き出して横方向に布帛を裁断して矩形状にし、その切り出した矩形の四周の縁をほつれ止めや装飾のために縫い上げる。
【００２１】
（第１縦地縁連続千鳥縫い工程）
図１は、本発明の実施の形態に係る織物の縁取縫製方法の第１縦地縁連続千鳥縫い工程を示す工程説明図である。また、図２は、主に、スカーフ２の生地の縦地縁２ａ及び横地縁２ｂを示す斜視図である。先ず、図１、図２に示すように、本実施形態に係る織物の縁取縫製方法では、第１縦地縁千鳥縫い工程として、スカーフ２（織物）の生地の反物の引出方向Ｘの両側である縦地縁２ａを連続してジグザグ状（千鳥状）に縫い付ける第１縦地縁連続千鳥縫い工程を行う。
【００２２】
具体的には、図２に示すように、本工程では、通常のミシン１を用いて、スカーフ２（織物）の生地がロール状に巻き上げられた反物２０を、その引出方向Ｘの両側の縁（縦地縁２ａ）を反物全長に亘って連続的にジグザグ状に縫い付けるいわゆる千鳥縫いを施す。ここで、通常のミシン１とは、前述のメロウミシンではない上糸と下糸を用いて縫い上げる普通のミシンを指している。
【００２３】
本工程では、ミシン１の押え金具として、スカーフ２の生地の厚さに応じた三折り用押え金具３を用いて千鳥縫いを行う。本実施形態では、スカーフ２の生地の厚さが２ｍｍ以下（生地がシルクや綿の場合１ｍｍ以下であり、毛織物である場合２ｍｍ程度まで）であるため、最大間隔が１５ｍｍとなった切欠き３ａが形成された三折り用押え金具３を用いて、三折り状に巻き上げながら千鳥縫いを行う。また、この切欠き３ａの内側面には、三折り状に巻き上げるためのカールが形成されている。なお、符号４は、針板４を指している。
【００２４】
本工程により、スカーフ２の生地の反物の縦地縁２ａを一気に縫製することができる。このため、矩形のスカーフ２の縦地縁２ａを個別に縫製する場合と比べて極めて短時間で効率的に縫製することができる。
【００２５】
（裁断工程）
次に、図２に示すように、本実施形態に係る織物の縁取縫製方法では、前工程で両縁が連続して千鳥縫いされたスカーフ２の生地を、前述の縦地縁２ａと直交する方向に（横地縁２ｂで）裁断する裁断工程を行う。
【００２６】
本工程では、スカーフ２の生地の反物２０を縦地縁２ａと直交する方向に裁断機やハサミ等の裁断手段を用いてスカーフ２の大きさに応じた所定間隔で裁断して、後述の六折り状に巻き上げる幅を計算した所定の大きさに小分けする。
【００２７】
（第１横地縁千鳥縫い工程）
図３は、本実施形態に係る織物の縁取縫製方法の第１横地縁千鳥縫い工程を示す工程説明図である。次に、図３に示すように、本実施形態に係る織物の縁取縫製方法では、前工程でスカーフ２の大きさに応じて裁断して小分けしたスカーフ２の生地の横地縁２ｂをジグザグ状（千鳥状）に縫い付ける第１横地縁千鳥縫い工程を行う。
【００２８】
具体的には、本工程では、前述のミシン１で三折り用押え金具３を装着したまま、切欠き３ａのカールを用いて、前工程で裁断したスカーフ２の生地の横地縁２ｂを三折り状に巻き上げつつジグザグ状に千鳥縫いを行う。
【００２９】
従来の千鳥縫いの縁取縫製方法では、本第１横地縁千鳥縫い工程でスカーフ等の縁取縫製は終了する。しかし、本実施の形態に係る織物の縁取縫製方法では、以下の工程を追加的に行うものである。
【００３０】
（第２縦地縁千鳥縫い工程）
図４は、本実施形態に係る織物の縁取縫製方法の第２縦地縁千鳥縫い工程を示す工程説明図である。次に、図４に示すように、本実施形態に係る織物の縁取縫製方法では、スカーフ２（織物）の生地の縦地縁２ａに沿って再度ジグザグ状に縫い付ける第２縦地縁千鳥縫い工程を行う。
【００３１】
本工程では、図４に示すように、ミシン１の押え金具として、前述の三折り用押え金具３ではなく、それより最大間隔が大きくなった六折り用押え金具５を用いて縦地縁２ａを巻き上げながら千鳥縫いを行う。本実施形態では、最大間隔が１８ｍｍとなった切欠き５ａが形成された六折り用押え金具５を用いて、再度縦地縁２ａを三折り状（前回のと合せると六折り状）に巻き上げつつジグザグ状（千鳥状）に千鳥縫いを行う。
【００３２】
（第２横地縁千鳥縫い工程）
図５は、本実施形態に係る織物の縁取縫製方法の第２横地縁千鳥縫い工程を示す工程説明図である。次に、図５に示すように、本実施形態に係る織物の縁取縫製方法では、スカーフ２（織物）の生地の横地縁２ｂに沿って再度ジグザグ状（千鳥状）に縫い付ける第２横地縁千鳥縫い工程を行う。
【００３３】
具体的には、本工程では、ミシン１に六折り用押え金具５を装着したまま、切欠き５ａのカールを用いて、第１横地縁千鳥縫い工程で千鳥縫いを施したスカーフ２の横地縁２ｂを再度三折り状（前回のと合せると六折り状）に巻き上げつつジグザグ状に千鳥縫いを行う。
【００３４】
図６は、本実施形態に係る織物の縁取縫製方法で縫製した縫製品であるスカーフの縦地縁を示す完成図であり、図７は、本実施形態に係る織物の縁取縫製方法で縫製した縫製品であるスカーフの横地縁を示す完成図である。
【００３５】
本工程が終了することにより、本実施形態に係る織物の縁取縫製方法が終了し、図６に示すように、本実施形態に係る織物の縁取縫製方法で縫製した縫製品であるスカーフ２の縦地縁２ａが六折り状に巻き上げられて千鳥縫いが完了する。また、図７に示すように、スカーフ２の横地縁２ｂが六折り状に巻き上げられて千鳥縫いが完了する。このように、本縁取縫製方法で縫製された織物の縫製品であるスカーフは、手縫いに負けない高級感を醸し出すことができるだけでなく、スカーフの各縁が２回千鳥縫いされているため、強度も高く、耐久性に富み型崩れがしにくくなっている。
【００３６】
このように、本実施形態に係る織物の縁取縫製方法によれば、熟練した職人でなくても、機構が簡略でメンテナンスに手間がかからない通常のミシンより、巻き上げのボリューム感がある手縫いのようなかがり縫いができる。このため、縫製品が手縫いに負けない高級感を醸し出すことが可能となる。また、織物の各縁を２回千鳥縫いしているため、強度も高く、耐久性に富み型崩れがしにくくなっている。
【００３７】
また、本実施形態に係る織物の縁取縫製方法によれば、ロール状に巻き上げられた反物２０をその引出方向Ｘの両側の縁（縦地縁２ａ）を反物２０全長に亘って連続的に千鳥縫いを施すので、スカーフ２の縦地縁２ａを一気に縫製することができる。このため、矩形のスカーフ２の縦地縁２ａを個別に縫製する場合と比べて極めて短時間で効率的に縫製することができる。
【００３８】
以上、本発明の実施形態に係る織物の縁取縫製方法及び織物の縫製品について詳細に説明したが、前述した又は図示した実施形態は、いずれも本発明を実施するにあたって具体化した一実施形態を示したものに過ぎない。よって、これらによって本発明の技術的範囲が限定的に解釈されてはならないものである。
【００３９】
特に、織物の縫製品としてスカーフを例示して説明したが、スカーフに限られず、前述のように、各種織物に適用することができる。但し、デザイン性が高く高級な布帛からなるスカーフ、ストール、ハンカチ等に特に好適に適用されるものである。また、押え金物の切欠きの大きさも生地の厚さに応じて比例させて大きくすることで例示した通常のスカーフ等の生地より厚いものにも適用することができる。
【符号の説明】
【００４０】
１：ミシン
２：スカーフ（織物）
２０：反物
３：三折り用押え金物（押え金物）
３ａ：切欠き
４：針板
５：六折り用押え金物（押え金物）
５ａ：切欠き
Ｘ：反物の引出方向
【図１】
2019126480.tif 000003
【図２】
2019126480.tif 000004
【図３】
2019126480.tif 000005
【図４】
2019126480.tif 000006
【図５】
2019126480.tif 000007
【図６】
2019126480.tif 000008
【図７】
2019126480.tif 000009
【手続補正書】
【提出日】平成31年4月1日(2019.4.1)
【手続補正１】
【補正対象書類名】特許請求の範囲
【補正対象項目名】請求項１
【補正方法】変更
【補正の内容】
【請求項１】
織物の縁取をほつれ止めや装飾のために縫い上げる織物の縁取縫製方法であって、
通常のミシンに生地の厚さに応じた三折り状に巻き上げるためのカールが形成された切欠きを有する三折り用金具を装着して前記織物の縦地縁を三折り状に巻き上げながら千鳥状に縫い上げる第１縦地縁千鳥縫い工程と、
前記ミシンに前記三折り用金具を装着したまま前記前記織物の横地縁を前記三折り状に巻き上げながら千鳥状に縫い上げる第１横地縁千鳥縫い工程と、を行った後、
さらに、前記ミシンに前記三折り用金具より切欠きの最大間隔が大きくなった六折り用押え金具を装着して前記織物の縦地縁及び横地縁を六折り状に巻き上げながら千鳥状に縫い上げる第２縦地縁千鳥縫い工程及び第２横地縁千鳥縫い工程を行うこと
を特徴とする織物の縁取縫製方法。
【手続補正２】
【補正対象書類名】明細書
【補正対象項目名】００１１
【補正方法】変更
【補正の内容】
【００１１】
第１発明に係る織物の縁取縫製方法は、織物の縁取をほつれ止めや装飾のために縫い上げる織物の縁取縫製方法であって、通常のミシンに生地の厚さに応じた三折り状に巻き上げるためのカールが形成された切欠きを有する三折り用金具を装着して前記織物の縦地縁を三折り状に巻き上げながら千鳥状に縫い上げる第１縦地縁千鳥縫い工程と、前記ミシンに前記三折り用金具を装着したまま前記前記織物の横地縁を前記三折り状に巻き上げながら千鳥状に縫い上げる第１横地縁千鳥縫い工程と、を行った後、さらに、前記ミシンに前記三折り用金具より切欠きの最大間隔が大きくなった六折り用押え金具を装着して前記織物の縦地縁及び横地縁を六折り状に巻き上げながら千鳥状に縫い上げる第２縦地縁千鳥縫い工程及び第２横地縁千鳥縫い工程を行うことを特徴とする。